(57)【要約】      （修正有）【課題】寝具の中材に伸縮性生地を使用し、中材にテンションをかけながら側地と部分的に止めつけて上掛け用寝具を製造し、使用者の身体への密着性が高く通気性を有し、さらに洗濯及び乾燥が容易な寝具類を提供すること。【解決手段】一又は複数枚の伸縮性生地を中材３に含む、上掛け用寝具１であって、テンションをかけて平滑にしながら、中材３の上下に配置した側地２と止めつける上掛け用寝具１の製造方法と当該製造方法で製造された上掛け用寝具１。更に、この伸縮性生地の重量を２０ｇ/ｍ２から２００ｇ/ｍ２にすると共に、横方向の伸長率を１５％以上とする。伸縮性生地が、化学繊維のフィラメント糸のみで編成されたネット状基布に弾性糸を緯糸挿入して横方向に蛇腹状に形成されている、上掛け用寝具１であって化学繊維のフィラメント糸を１５デニールから３００デニールとする。【選択図】図１
2020089457.tif 000002
【特許請求の範囲】
【請求項１】
一又は複数枚の伸縮性生地を中材に含む、上掛け用寝具であって、
伸縮性生地にテンションをかけて平滑にしながら、中材の上下に配置した側地と止めつける上掛け用寝具の製造方法。
【請求項２】
請求項１の製造方法で製造された上掛け用寝具。
【請求項３】
伸縮性生地の重量が２０ｇ/ｍ２から２００ｇ/ｍ２である請求項２記載の上掛け用寝具。
【請求項４】
横方向の伸長率が１５％以上である請求項２または３記載の上掛け用寝具。
【請求項５】
伸縮性生地が、化学繊維のフィラメント糸のみで編成されたネット状基布に弾性糸を緯糸挿入して横方向に蛇腹状に形成されている、請求項２から４のいずれか１項に記載の上掛け用寝具。
【請求項６】
請求項５の化学繊維のフィラメント糸が１５デニールから３００デニールである上掛け用寝具。
【発明の詳細な説明】
【技術分野】
【０００１】
本発明は横方向に伸縮性を有する布帛を中材に含む、空気を含んで軽くて保温性に優れる上掛け用寝具類に関する。
【背景技術】
【０００２】
従来、経編機で編成される上掛け用寝具としてはパイル地が知られている。また、保温性を付与するために綿糸や羊毛糸からなる織地に起毛加工等を施したものなどが知られている。
【先行技術文献】
【特許文献】
【０００３】
【特許文献１】特開２０１４−１５５５８９号公報
【発明の概要】
【発明が解決しようとする課題】
【０００４】
織機を使用して製作される寝具類は密度が高く、気密性に富む一方で伸縮性に欠ける。
【０００５】
また、冬場はマイヤー毛布等、ラッセル編地二枚を貼り合わせて成る毛布などの上掛け用寝具がある。これらは、保温性には優れるものの必然的に重量が重くなり、冬場の嵩高い寝具と相まって身体への負担が大きい。
【０００６】
ポリエステル短繊維を使用した中綿は相互に交錯しておりこれによるふわふわ感が生じるが、長年の使用でポリエステル中綿は断裂し分離してしまう。しかも洗濯後は圧密現象が生じてふわふわ感が失われてしまう。これが寝具の通気性や柔軟性、保温性を損ねていた。
【０００７】
使用時の中綿の製品外部への吹き出しを防止するために側地は通気度を抑えた織物生地が使用されるが、これらの織物生地は伸縮性に乏しく、触感が硬いものとなってしまう。
【０００８】
一方、厚手の寝具はクリーニングに出すことが多くメンテナンスにコストがかかる。家庭で洗濯できる寝具も増えてきたが、一度に一枚ずつ程度しか洗濯機に投入できず乾燥も容易ではない。
【０００９】
特許文献1の発明は側生地にニット素材を使用して触感を柔らかいものにしているが、中綿の吹き出しを抑制するために側生地そのものが二重になっているので総重量が重くなっている。
【００１０】
そこで、本願では寝具の中材に伸縮性生地を使用し、中材にテンションをかけながら側地と部分的に止めつけて上掛け用寝具を製造し、使用者の身体への密着性が高く通気性を有し、さらに洗濯及び乾燥が容易な寝具類を提供することを目的とする。
【課題を解決するための手段】
【００１１】
テンションをかけてフラットにした伸縮性を有する１枚または複数枚の中材と側地を部分的に縫着して上掛け用寝具を形成する。中材の重量は２０ｇ/ｍ２から２００ｇ/ｍ２であって横方向の伸びは１５％以上であることを特徴とする。
【００１２】
また、中材として、１５デニールから３００デニールの化学繊維のフィラメント糸のみ
で編成されたネット状基布に弾性糸を緯糸挿入して横方向に蛇腹状に伸縮形成された生地を一枚又は複数枚積層して寝具の中材として使用するのである。当該ネット状基布には仮撚加工した糸は含まれていない。積層した中材にテンションをかけてフラットにした状態で側地に重ね合わせて、一部又は全体的に中材と側地を縫着する。
【発明の効果】
【００１３】
中材となる生地が高い伸縮性を有する編地となっているため、当該生地に、一部又は全体的に縫い付けられた側地も中材に合わせて横方向に収縮する。
【００１４】
中材布帛が柔軟性を有し全体的に立体構造であるため空気層を含んで薄く且つ軽く、保温性に優れる。また空気層により嵩高くなっているため、収納時には小さくたためて嵩張ることがない。
【００１５】
寝具表面の凹凸が接触抵抗を高めているためずれが生じにくく、その結果身体への密着度が高まり保温性が高い。面で密着するのではなく凸状部が体に接触する、すなわち点で体と接触して凹部は隙間となり通気性を有するため快適である。
【００１６】
中材が薄くて軽いため、全体の寝具重量が軽くなり家庭での洗濯、乾燥が容易であるため常に清潔を保てる。
物理的に立体構造を形成するため、繰り返し洗濯しても薄く平たくなるなどの型崩れを生じさせにくく、長期間にわたってボリューム感が保持される。また洗濯が容易であるためカバーを必要とせず、カバーの着脱の手間がない。
【００１７】
中材の積層枚数を増減させることで保温度合いをコントロールすることができ、さらに中材として綿、不織布等を挟み込むことでより保温性が高まり、オールシーズンに対応した上掛け用寝具類が得られるのである。
【００１８】
中材がシート状布帛であるため中綿がちぎれたり、長年使用していても側地とのずれを生じさせたりせず形状安定性に優れる。
【００１９】
粗い編目且つネット状基布であるため軽い一方でコシ、ハリを有し、蛇腹状の立体構造として内部に空気層を形成して通気性・保温性に優れ、繰り返し加重に対してへたりが生じにくい。
【００２０】
側地の素材を選ばない。すなわち側地に伸縮性があってもなくてもまた目の細かい生地である必要がない。収縮性に富んだ中材と縫着することでこれに追随して側地も収縮し、中材が吹き出すこともないからである。
【００２１】
綿等のように細かく縫製（キルティング）しなくても側地と中材の一部のみの縫着で中材がずれることがない。側地が洗濯によって少々縮んでも完成品の段階で全体、特に横方向に蛇腹状に収縮した寝具であるため、側地の防縮によるダメージが全体に及ぼす影響は少ない。
【００２２】
実際に本願発明に係る上掛け布団の使用者は寝返りをうっても寝具が体に追随して動くため隙間を生じさせず快適に睡眠ができるとの感想を持っている。
【００２３】
隙間風によって寒さを感じ途中で眼がさめることがなく快適で質の良い睡眠を確保し使用者の健康維持に寄与する。
【００２４】
マイヤー毛布は表面が平滑すぎて重ねた布団がずれ落ちてしまうが本願の表面は凹凸を
有するため、掛け布団がずれ落ちることがない。
【図面の簡単な説明】
【００２５】
【図１】ａ  中材と側生地を重ね合わせた状態を示す説明図。
【００２６】
ｂ  中材にテンションをかけた状態を示す説明図。
【００２７】
ｃ  中材と側生地を縫着した状態を示す説明図。
【発明を実施するための形態】
【００２８】
以下に、本願の最適な実施形態について図面を参照しながら詳説する。
【００２９】
図１が本願製品である、上掛け布団１の構造を示す簡略図であると共に、作成手順を示す説明図である。
【００３０】
上掛け布団１はシングルサイズであって完成品のサイズは、１５０ｃｍｘ２１０ｃｍである。側地２を２枚を用意して中材３の上下に配置する。中材３は伸縮性を有する生地である。この実施例では中材３は１層であるが、保温度合いに応じて適宜複数枚を積層する。
【００３１】
中材３は図に示すように横方向に蛇腹状に収縮している。これにテンションをかけてフラットな状態にし（図１ｂ）、中材の上下に配した、側地２と部分的に止めつけて縫い合わせていくのである。テンションを解放後出来上がり寸法が横幅１５０ｃｍとなるところで裁断すると共に端部を縫いとじて上掛け布団１を製造するのである。
【００３２】
側地は横方向の伸びが１５％以上となる寸法に縫い代を加えた長さとする。横方向の伸長率は１８０％以下が望ましい。これ以上になると上掛け寝具全体の重量が重くなってしまうからである。
【００３３】
伸縮性を有する中材を使用して側地を縫着していくため、全体に収縮をかける必要がなく、側地と中材は一部分の縫い付けだけでよい。これにより手間がかからない一方で中材と側地とのずれは確実に防止できるのである。
【００３４】
請求項５係る中材用経編布帛は化学繊維のフィラメント糸のみを使用して挿入機能付き経編機によって編成される。
【００３５】
地組織はフィラメント糸のみを使用して、テンビー編み、マーキゼット編みなどで粗い編目でメッシュ状に基布を編成する。具体的には、フィラメント糸として、ビスコースレーヨン、キュプラレーヨン、アセテート繊維、ポリアミド繊維、ポリエステル繊維、ポリトリメチレンテレフタレート繊維、アクリル繊維、ポリプロピレン繊維、塩化ビニル繊維等の化合繊等からなるものが好ましい。
【００３６】
糸の太さは繰り返し洗濯による耐へたり性の点から、１５デニールから３００デニールの範囲が好ましい。さらに、地組織の編成と同時に地筬とは別筬でゴム糸等の弾性糸を挿入して基布全体に強い伸縮性を付与するのである。
【００３７】
編成密度は具体的には１ｃｍに５目から２０目コース程度が適している。
【００３８】
粗い密度によって編成された地組織にゴム糸を適宜導糸して、基布全体の横方向に強い伸縮性を付与するのである。ゴム糸の挿入本数、間隔は出来上がり製品の使用目的によっ
て容易に変更可能である。
【００３９】
本願に使用する中材は、シート状に編成されるため所望サイズ、厚さの中材に加工することは容易である。この中材は薄手ながらハリ、コシがある生地であるとともに、蛇腹状に収縮した状態に仕上がるため積層することでボリュームが出る。一方で押圧すると平面状態となるので生地を重ねた状態でテンションをかけながらフラットにして側地に容易に縫着できるのである。
【００４０】
中材を二重としたシングルサイズのガーゼケットの乾燥速度を検査すると、遠心脱水一分後にすでに残留水分率が５１％となり、２０度、６５％の湿度の環境下で９０分後には残留水分率が８％台となった。速乾性に優れているため毎日洗濯をしたい需要者あるいはホテル、病院等での使用に適していると考える。
【００４１】
また、羽毛、綿、ポリエステルの綿やニードルパンチ等の不織布などを本願の中材と組み合わせるあるいは、本願の中材の間に挟み込んで積層させた後、側地に縫着することで季節に応じた寝具を容易に製造できるのである。
中材と側地の縫着に使用する糸は、綿糸をポリエステルなどで被覆したカバリング糸が適しているが、弾性を有する糸であればこれに限定されるものではない。本願では寝返り等を打つ方向である横方向に伸縮性を付与しているが、縦方向への収縮を付与することも可能である。
【００４２】
快適な環境は人によって個人差があるが肌に直接触れる寝具類は特に心地良さなどの感覚が重視される。そこで本願では複数の使用者に同種類の上掛けケットを使用してもらい、その使い勝手や洗濯・乾燥性及び洗濯後のダメージなどについて官能評価を行った。
【００４３】
５０代女性は「体に添うため寝返りをうっても隙間が生じず、冷気を感じて途中で目が覚めることがなく快適な睡眠をとることができた。」、また１０代男性は「どんなに寝返りをしても体にケットがついてくるため、よく眠れた。」等の感想を持った。また「家の洗濯機でも簡単に洗濯ができ、すぐに乾燥したので驚いた。」等洗濯容易性に関する感想もあった。ダブルサイズのガーゼケットを家庭の洗濯機で洗濯・脱水し、温度２７度、湿度５４％で乾燥時間は３時間であった。
【００４４】
このように本願に係る上掛け寝具を使用すると、寝返りを打っても寝具が体に追随してフィットし隙間を生じさせない。隙間が生じることによる冷えを感じて目が覚めるなどのことがなく、優れた質の良い睡眠をとることができるのである。
【産業上の利用可能性】
【００４５】
本願の伸縮性に富んだ寝具は、掛け布団、肌掛け布団、毛布、ガーゼケットなどに応用が可能である。
【符号の説明】
【００４６】
１、上掛け布団    ２、側地
３、中材  
【図１】
2020089457.tif 000003